(57)【要約】【課題】排水経路のエア抜き路の詰まりを確実に防止することができる食器洗浄機を提供する。【解決手段】内部に食器Ｗを収容して食器Ｗを洗浄する洗浄槽３と、洗浄槽３の底部に溜まった洗浄水を排出する排水経路１２，１４と、洗浄槽３に乾燥用空気を導入する吸気ダクト６とを備える。排水経路１４にエア抜き路２２が設けられている。エア抜き路２２は、吸気ダクト６に接続されている。【選択図】図１
2016043119.tif 000002
【特許請求の範囲】
【請求項１】
内部に食器を収容して該食器を洗浄する洗浄槽と、該洗浄槽の底部に溜まった洗浄水を排出する排水経路と、前記洗浄槽に乾燥用空気を導入する吸気ダクトとを備える食器洗浄機であって、前記排水経路にエア抜き路が設けられているものにおいて、
前記エア抜き路は、前記吸気ダクトに接続されていることを特徴とする食器洗浄機。
【請求項２】
前記排水経路は、排水管と、該排水管に介設された中継部とにより構成され、
前記中継部は、排水上流側の排水管を接続する上流側接続部と、排水下流側の排水管を接続する下流側接続部と、両接続部間に位置する中間部とを備え、
前記エア抜き路は、前記中継部の前記中間部に設けられていることを特徴とする請求項１記載の食器洗浄機。
【請求項３】
前記中継部は、前記中間部において前記吸気ダクトの側壁と一体に形成され、
前記エア抜き路は、前記中間部の周壁と前記吸気ダクトの側壁とを貫通する貫通孔により形成されていることを特徴とする請求項２記載の食器洗浄機。
【請求項４】
前記中継部は、前記中間部が屈曲する形状に形成されて前記上流側接続部と前記下流側接続部とが所定の角度を存して互いに離反する方向に延びており、
前記下流側接続部から排水下流側の排水管を取り外したとき、前記エア抜き路は、前記下流側接続部の開放された端部から視認可能となる位置で、且つ、前記エア抜き路の軸線の延長線が、該下流側接続部の開放された端部の内側から外方に延びる位置に形成されていることを特徴とする請求項２又は３記載の食器洗浄機。
【発明の詳細な説明】
【技術分野】
【０００１】
本発明は、食器を洗浄槽に収容して洗浄する食器洗浄機に関する。
【背景技術】
【０００２】
この種の食器洗浄機は、洗浄槽の底部側に、洗浄水を噴出する洗浄ノズルが設けられており、洗浄槽の背面側には洗浄槽内の食器を乾燥させるための乾燥用空気を導入する吸気ダクト及び乾燥ファンが設けられている。
【０００３】
更に、洗浄槽の底部には、洗浄水の溜り部が設けられており、洗浄槽の底部下側には、溜り部に連通する洗浄・排水ポンプが設置されている。洗浄・排水ポンプの作動により、洗浄時には洗浄ノズルに洗浄水を供給し、排水時には排水経路を介して洗浄槽からの排水を行う。
【０００４】
排水経路はその上流端が洗浄・排水ポンプに接続され、下流端が排水口に接続されているが、排水経路の中途位置には、所謂サイホン現象による排水を防止するために、排水経路からの水抜きやエア抜きを行うエア抜き路が設けられている。
【０００５】
そして、従来より、この種の食器洗浄機においては、エア抜き路を洗浄槽の周壁内面で開口させて洗浄槽の内部に連通させ、エア抜き路を介して排水経路から流出する排水を洗浄槽で回収するようにしている（例えば特許文献１参照）。
【先行技術文献】
【特許文献】
【０００６】
【特許文献１】特開２００２−１４３０７０号公報
【発明の概要】
【発明が解決しようとする課題】
【０００７】
しかし、エア抜き路が洗浄槽の周壁内面で開口していると、洗浄中に洗浄水と共に飛散する残菜等の異物がエア抜き路に入り込んでエア抜き路に詰まりが生じ、排水経路の水抜きやエア抜きが円滑に行われなくなるおそれがある。
【０００８】
上記の点に鑑み、本発明は、排水経路のエア抜き路の詰まりを確実に防止することができる食器洗浄機を提供することを目的とする。
【課題を解決するための手段】
【０００９】
かかる目的を達成するために、本発明は、内部に食器を収容して該食器を洗浄する洗浄槽と、該洗浄槽の底部に溜まった洗浄水を排出する排水経路と、前記洗浄槽に乾燥用空気を導入する吸気ダクトとを備える食器洗浄機であって、前記排水経路にエア抜き路が設けられているものにおいて、前記エア抜き路は、前記吸気ダクトに接続されていることを特徴とする。
【００１０】
本発明によれば、排水経路のエア抜き路を吸気ダクトに接続したことにより、洗浄中に生じる異物がエア抜き路に侵入することがなく、エア抜き路の詰まりを確実に防止することができる。
【００１１】
更に、吸気ダクトの下流端は、洗浄槽に乾燥用空気を導入するために洗浄槽の内部に開口しており、吸気ダクトの内部には、洗浄水と共に残菜等の異物が付着するおそれがあったが、排水経路を流れる洗浄水の一部がエア抜き路を介して吸気ダクトの内部に流れ込むことにより、吸気ダクトの内部に洗浄水の流れを形成することができ、吸気ダクトの内部に侵入した異物を洗い流すことができる。
【００１２】
しかも、吸気ダクトの内部は、洗浄槽に導入する乾燥用空気が流れるため、エア抜き路の内部も乾燥させることができ、エア抜き路を清潔に保つことができる。
【００１３】
本発明の好ましい態様として、前記排水経路は、排水管と、該排水管に介設された中継部とにより構成され、前記中継部は、排水上流側の排水管を接続する上流側接続部と、排水下流側の排水管を接続する下流側接続部と、両接続部間に位置する中間部とを備え、前記エア抜き路を、前記中継部の前記中間部に設けることが挙げられる。こうすることにより、排水経路を構造簡単としてエア抜き路を容易に設けることができる。
【００１４】
このとき、前記中継部は、前記中間部において前記吸気ダクトの側壁と一体に形成され、前記エア抜き路は、前記中間部の周壁と前記吸気ダクトの側壁とを貫通する貫通孔により形成されていることが好ましい。
【００１５】
これによれば、例えば、合成樹脂により吸気ダクトと中継部とを一体に形成して部品点数を少なくすることができ、コストを低減することができる。
【００１６】
更に、吸気ダクトの側壁と中継部の中間部の周壁を貫通する貫通孔をエア抜き路とすることで、エア抜き路を継ぎ目なく設けることができ、エア抜き路からの漏水を確実に防止することができる。
【００１７】
また、本発明の前記中継部は、前記中間部が屈曲する形状に形成されて前記上流側接続部と前記下流側接続部とが所定の角度を存して互いに離反する方向に延びており、前記下流側接続部から排水下流側の排水管を取り外したとき、前記エア抜き路は、前記下流側接続部の開放された端部から視認可能となる位置で、且つ、前記エア抜き路の軸線の延長線が、該下流側接続部の開放された端部の内側から外方に延びる位置に形成されていることが好ましい。
【００１８】
これによれば、エア抜き路を掃除する場合に、中継部の下流側接続部から排水下流側の排水管を取り外すだけで、下流側接続部の開放された端部からエア抜き路が視認でき、下流側接続部の開放された端部からエア抜き路に針金状の掃除用具を差し込むことができるので、エア抜き路を容易に掃除することができる。
【図面の簡単な説明】
【００１９】
【図１】本発明の実施形態の食器洗浄機の構成を模式的に示す説明図。
【図２】洗浄槽の背面側の要部を示す説明図。
【図３】吸気ダクトの斜視図。
【図４】中継部の説明的断面図。
【図５】下流側接続部の端部上方からエア抜き路を臨んだ図。
【発明を実施するための形態】
【００２０】
本発明の実施形態を図面に基づいて説明する。図１に示す本実施形態の食器洗浄機１は、システムキッチンに組み込に設置されるビルトイン式のものであり、食器洗浄機１の筐体２には、前方に引出し自在な洗浄槽３が収容されている。洗浄槽３の内部には、食器かご４を介して食器Ｗが支持される。
【００２１】
洗浄槽３の底部側には、洗浄水を噴出する洗浄ノズル５が設けられており、洗浄槽３の背面側には洗浄槽３内の食器Ｗを乾燥させるための乾燥用空気を導入する吸気ダクト６及び乾燥ファン７が設けられている。
【００２２】
更に、洗浄槽３の底部には、洗浄槽３内に残菜フィルタ８を介して連通する洗浄水の溜り部９が設けられている。洗浄槽３の底部下側には、洗浄・排水ポンプ１０が設置されている。
【００２３】
洗浄・排水ポンプ１０には、溜り部９の洗浄水を洗浄ノズル５に圧送する洗浄水管１１と、溜り部９の洗浄水を排水する排水管１２とが接続されている。洗浄・排水ポンプ１０は、食器Ｗの洗浄中には洗浄水管１１に洗浄水を供給し、洗浄終了時に排水管１２からの排水を行う。
【００２４】
前記洗浄ノズル５は、洗浄槽３の底部側に配設された水平方向に長手の下ノズル５ａと、下ノズル５ａの長手方向中央部に立設されたセンターノズル５ｂとにより構成されている。下ノズル５ａは、その長手方向中央部で鉛直軸線回りに旋回しつつ上方に向けて洗浄水を噴出する。下ノズル５ａは、洗浄・排水ポンプ１０から供給される洗浄水の噴出反力によって旋回するようになっている。センターノズル５ｂは下ノズル５ａと一体に回転し、周面に形成されている噴出口から放射状に洗浄水を噴出する。
【００２５】
洗浄が終了すると、洗浄・排水ポンプ１０によって、洗浄槽３からの排水が行われ、その後、乾燥ファン７が駆動されて、吸気ダクト６を通って洗浄槽３に送り込まれる乾燥用空気によって食器Ｗの乾燥が行われる。
【００２６】
吸気ダクト６は、図１及び図２に示すように、洗浄槽３の後壁１３の外面に取り付けられており、吸気ダクト６の上端部には乾燥ファン７が接続されている。また、図２に示すように、吸気ダクト６には、排水管１２の中途位置に接続する中継部１４が設けられている。排水管１２と中継部１４とによって食器洗浄機１における排水経路が構成される。
【００２７】
吸気ダクト６は、図３に示すように、合成樹脂により前面が開放された箱形状に形成されている。吸気ダクト６の上壁には乾燥ファン７を接続するための接続部１５が形成されており、一方の側壁１６の外側には中継部１４が一体に形成されている。
【００２８】
吸気ダクト６を洗浄槽３の後壁１３の外面に取り付けると、洗浄槽３の後壁１３の外面により吸気ダクト６の開放側が覆われ、図１に示すように、上下方向に延びる空気通路が形成される。
【００２９】
また、洗浄槽３の後壁１３には、洗浄槽３に乾燥用空気を導入する導入口１７が開設されており、この導入口１７を吸気ダクト６の下端部が覆うことにより、吸気ダクト６に沿って下方に流れた乾燥用空気が導入口１７を介して洗浄槽３の内部に導入される。
【００３０】
中継部１４は、図４に断面視して示すように、排水経路の上流側の排水管１２を接続する上流側接続部１８と、排水経路の下流側の排水管１２を接続する下流側接続部１９と、両接続部１８，１９間に位置する中間部２０とを備えている。
【００３１】
中継部１４は、中間部２０が屈曲する形状に形成されて上流側接続部１８と下流側接続部１９とが所定の角度を存して互いに離反する方向に延びており、中間部２０の周壁の一部が吸気ダクト６の側壁１６と一体に形成されている。
【００３２】
更に、中間部２０の外側部には、吸気ダクト６と一体化された状態を強固に維持するための補強連結部２１が形成されている。補強連結部２１によって、上流側接続部１８や下流側接続部１９に対する排水管１２の接続作業時に、中間部２０に比較的大きな力が加わっても、破損等が生じて吸気ダクト６から中継部１４が分離することを確実に防止できる。
【００３３】
中間部２０には、図４に示すように、吸気ダクト６の側壁１６を貫通して吸気ダクト６の内部に連通する貫通孔２２がエア抜き路として形成されている。エア抜き路は、所謂サイホン現象による排水を防止するためのもので、実施形態においては、中継部１４内の排水の一部やエアが貫通孔２２を介して吸気ダクト６の内部に流出することで、排水経路からの水抜きやエア抜きが行われる。
【００３４】
このように、中継部１４を吸気ダクト６に一体に設け、貫通孔２２によりエア抜き路を構成したことにより、部品点数が少なく、コストを低減することができる。
【００３５】
また、図１及び図３に示すように、エア抜き路である貫通孔２２は、洗浄水の水面よりも上方となる高さ位置に設けられ、吸気ダクト６の側壁１６の内面で開口している。
【００３６】
これにより、食器Ｗの洗浄中に生じる残菜等の異物が貫通孔２２に侵入することがなく、貫通孔２２の詰まりを確実に防止することができる。しかも、吸気ダクト６の側壁１６の内面で開口する貫通孔２２は、吸気ダクト６を流れる乾燥用空気に接触して乾燥し易いので、貫通孔２２を清潔に保つことができる。
【００３７】
更に、中継部１４から貫通孔２２を介して吸気ダクト６の内部に流出した排水（洗浄水）の一部は、洗浄槽３の後壁１３に形成されている乾燥用空気の導入口１７を介して洗浄槽３に流入して回収される。このとき、吸気ダクト６の内部に洗浄水の流れが形成され、吸気ダクト６の内部に油汚れ等の異物が付着している場合には、洗浄水の流れにより洗い流され、吸気ダクト６の内部を清潔に保つことができる。
【００３８】
また、図４に示すように、中間部２０の貫通孔２２は、その軸線の延長線Ｖが下流側接続部１９の開放された端部の内側から外方に延びるように形成されている。
【００３９】
これによれば、図５に示すように、下流側接続部１９から排水管１２を取り外して、開放された下流側接続部１９の端部から下流側接続部１９の内部を覗くと、下流側接続部１９の奥側に位置する貫通孔２２を見ることができる。そして、下流側接続部１９の開放された端部から貫通孔２２に、図示しない針金状の掃除用具を差し込んで、貫通孔２２を容易に掃除することができる。
【符号の説明】
【００４０】
１…食器洗浄機、３…洗浄槽、６…吸気ダクト、１２…排水管（排水経路）、１４…中継部（排水経路）、１８…上流側接続部、１９…下流側接続部、２０…中間部、２２…貫通孔（エア抜き路）、Ｖ…貫通孔（エア抜き路）の軸線の延長線、Ｗ…食器。
【図１】
2016043119.tif 000003
【図２】
2016043119.tif 000004
【図３】
2016043119.tif 000005
【図４】
2016043119.tif 000006
【図５】
2016043119.tif 000007